(57)【特許請求の範囲】
【請求項１】
制御の対象となる系の各局設備をマップ上に表示した局設備配置画面と、上記各局設備の状態を表示した状態画面と、緊急対応釦と、操作開始項目を含む複数の選択対象項目を備えたメニューバーとを同時に表示する操作卓画面の表示手段と、
上記メニューバーの操作開始項目が選択されたとき、上記局設備配置画面上に、制御対象を選択するするためのプルダウンメニューを開いた操作卓画面を表示し、上記制御対象が選択されたとき、上記局設備配置画面上に、制御モードを選択するためのダイアログを開いた操作卓画面を表示し、上記制御モードが選択されたとき、上記局設備配置画面上に、制御項目を選択するための、マイク放送の起動釦を含むダイアログを開いた操作卓画面を表示する表示手段と、
上記操作卓画面上で上記緊急対応釦が操作されたとき、制御対象と、制御モードと、マイク放送の起動釦を含む制御項目とを同時に選択可能な緊急対応操作卓画面を表示する緊急対応操作卓画面の表示手段と、
上記操作卓画面または上記緊急対応操作卓画面上で上記マイク放送の起動釦が選択されたとき、上記局設備配置画面上で選択した制御の対象となる系の局設備に放送起動をかける手段と、
を具備してなることを特徴とする放流警報操作卓。
【請求項２】
前記緊急対応釦は、上記緊急対応操作卓画面、および上記マイク放送の起動釦を含むダイアログを開いた操作卓画面を除くすべての操作卓画面の一定の位置に設けられていることを特徴とする請求項１に記載の放流警報操作卓。
【請求項３】
上記局設備配置画面上には、観測局、中継局、警報局の少なくともいずれかを含む、制御監視の対象となる複数の局を同時に表示することを特徴とする請求項１に記載の放流警報操作卓。
【発明の詳細な説明】
【０００１】
【発明の属する技術分野】
本発明は、ダムの放流警報システムに適用される放流警報操作卓に関する。
【０００２】
【従来の技術】
従来、ダムの放流警報システム等に適用されるディスプレイ卓、及びテレメータの制御監視に適用されるディスプレイ卓は、制御監視対象にある観測局、警報局等との通話、警報放送等のために、表示部とは別個に「操作器」が必要であり、通話、放送の都度、操作卓に設けられた「操作器」を操作する必要があった。また、表示部に於ける画面表示も単に選択対象画面に切替る画面構成であった。従って従来では、操作卓が大型かつ煩雑化し、コスト面で高価になるとともに、操作性の面でも煩雑な操作が必要とされていた。
【０００３】
【発明が解決しようとする課題】
上述したように、従来の放流警報システム等に適用される操作卓に於いては、制御対象にある観測局、警報局等との通話、警報放送等のために、表示部とは別個に操作器が必要であり、表示部に於ける画面表示も単に選択対象画面に切替る画面構成であることから、操作卓が大型かつ煩雑化し、コスト面で高価になるとともに、操作性の面でも煩雑な操作が必要になる等、種々の問題があった。
【０００５】
本発明は、システムの各局の状態監視を少ない画面構成で容易かつ的確に把握できるとともに、ウィンドウ表示による操作手段を適用することで操作器により行っていた操作を円滑かつ迅速に行うことができ、かつ緊急放送時に於いて逐次操作確認を省略して迅速にマイク放送が行える放流警報操作卓を提供することを目的とする。
【０００７】
【課題を解決するための手段】
本発明は、制御の対象となる系の各局設備をマップ上に表示した局設備配置画面と、上記各局設備の状態を表示した状態画面と、緊急対応釦と、操作開始項目を含む複数の選択対象項目を備えたメニューバーとを同時に表示する操作卓画面の表示手段と、上記メニューバーの操作開始項目が選択されたとき、上記局設備配置画面上に、制御対象を選択するするためのプルダウンメニューを開いた操作卓画面を表示し、上記制御対象が選択されたとき、上記局設備配置画面上に、制御モードを選択するためのダイアログを開いた操作卓画面を表示し、上記制御モードが選択されたとき、上記局設備配置画面上に、制御項目を選択するための、マイク放送の起動釦を含むダイアログを開いた操作卓画面を表示する表示手段と、上記操作卓画面上で上記緊急対応釦が操作されたとき、制御対象と、制御モードと、マイク放送の起動釦を含む制御項目とを同時に選択可能な緊急対応操作卓画面を表示する緊急対応操作卓画面の表示手段と、上記操作卓画面または上記緊急対応操作卓画面上で上記マイク放送の起動釦が選択されたとき、上記局設備配置画面上で選択した制御の対象となる系の局設備に放送起動をかける手段と、を具備した放流警報操作卓を提供する。
【０００９】
また、本発明は、上記放流警報操作卓に於いて、上記局設備配置画面上に、観測局、中継局、警報局の少なくともいずれかを含む、制御監視の対象となる各局を同時に表示することを特徴とする。
【００１０】
また、本発明は、上記放流警報操作卓に於いて、上記操作卓画面上に、緊急対応釦を表示する手段と、上記緊急対応釦がクリック操作された際に、逐次操作確認を省略して、上記制御の対象となる系の局設備に放送起動をかける手段とを具備してなることを特徴とする。
【００１２】
上記したような卓構成により、構成の簡素化並びに操作の容易化が図れる放流警報操作卓及びテレメータのディスプレイ卓が提供できる。また、システムの各局の状態監視を少ない画面構成で容易かつ的確に把握できるとともに、ウィンドウ表示による操作手段を適用することで操作器により行っていた操作を円滑かつ迅速に行うことができ、かつ緊急放送時に於いて緊急対応釦を押下操作することにより逐次操作確認を省略して迅速にマイク放送が行える放流警報操作卓及びテレメータのディスプレイ卓が提供できる。また、システム全体のハードウェア構成を簡素化して経済的に有利な構成で省スペース化が図れるとともに、局の増設、機能追加等に柔軟に対応できる、拡張性、柔軟性に優れたシステムを容易に構築できる放流警報操作卓及びテレメータのディスプレイ卓が提供できる。
【００１３】
【発明の実施の形態】
以下、図面を参照して本発明の実施形態を説明する。
【００１４】
図１は本発明の実施形態に於ける操作卓の要部の構成を示すブロック図であり、ここではダムの放流警報システムに適用されるディスプレイ卓（放流警報操作卓）を例に示している。
【００１５】
図中、１０は放流警報システムの監視局に設けられたディスプレイ卓（放流警報操作卓）であり、制御部（ＦＡ−ＰＣ）１１、表示部（ＤＩＳＰ）１２、キーボード（ＫＢ）１３、ポインティングデバイス１４、ＬＡＮインタフェース（ＬＡＮ−ＩＦ）１５、入出力インタフェース（Ｉ／Ｏ−ＩＦ）１６等を備えて構成される。
【００１６】
２０は上記ディスプレイ卓１０の制御の下に放流警報並びに局監視の各制御を行う制御監視装置である。３０は制御監視装置２０の制御の下に、制御監視の対象にある各局（警報局、制御局、中継局等）との間で、各種の要求（警報制御要求、中継局制御要求等）及び状態情報（局状態、制御状態、警報局詳細状態等）を送受する無線局の送受信部である。
【００１７】
制御部（ＦＡ−ＰＣ）１１は、卓全体の制御を司るもので、ここではＦＡ（factory automation）パソコンを用いて構成され、図２及び図３に示すような警報制御並びにシステム状態監視のための表示制御処理を実行する。
【００１８】
表示部（ＤＩＳＰ）１２は、上記制御部（ＦＡ−ＰＣ）１１の制御の下に警報制御並びに監視用の各種画面を表示出力する。ここでは図４乃至図１５に示すような警報制御の操作用画面を含む監視用の画面を表示する。
【００１９】
キーボード（ＫＢ）１３、及びポインティングデバイス１４は、制御監視の対象にある各局へ送出する要求コマンド等の制御情報の入力、画面上の操作入力等に供されるもので、ここではポインティングデバイス１４による画面上の座標位置指定により、マイクロフォン放送による警報の送出制御、緊急対応釦の操作等が行われる。
【００２０】
ＬＡＮインタフェース（ＬＡＮ−ＩＦ）１５は、ＬＡＮ上に接続された局舎内の各装置との通信に供される。入出力インタフェース（Ｉ／Ｏ−ＩＦ）１６は制御監視装置２０との間で各種要求コマンド、状態情報、制御結果情報等の受け渡しを行う。
【００２１】
図２及び図３はそれぞれ上記実施形態に於いて制御部（ＦＡ−ＰＣ）１１により実行される警報制御並びにシステム状態監視のための表示制御処理手順を示すフローチャートである。
【００２２】
図４乃至図１５はそれぞれ上記実施形態に於いて制御部（ＦＡ−ＰＣ）１１の制御の下に表示部（ＤＩＳＰ）１２に表示される警報制御の操作用画面を含む監視用画面の表示状態遷移例を示す図である。図中、１００は操作卓画面であり、操作開始メニュー釦１０１ａを含む複数の選択対象メニュー釦を備えたメニューバー１０１と、警報制御の対象となる各局設備をマップ上に表示した局設備配置画面１０２と、上記各局設備の状態を表示した状態画面１０３と、緊急対応釦１０４とが同時に表示される。
【００２３】
ここで、上記各図を参照して本発明の実施形態に於ける動作を説明する。
【００２４】
警報制御処理の際、表示部（ＤＩＳＰ）１２には制御部（ＦＡ−ＰＣ）１１の制御の下に図４に示すような緊急対応釦１０４をもつ操作卓画面（画面（１））が表示される（図２ステップＳ１，Ｓ２）。
【００２５】
この図４に示す操作卓画面上で、ポインティングデバイス１４により、操作開始メニュー釦１０１ａが選択操作されると（図２ステップＳ３）、図５に示すような制御対象を選択するためのプルダウンメニューを開いた操作卓画面（画面（２））が表示される（図２ステップＳ４）。
【００２６】
この操作卓画面（画面（２））上のプルダウンメニューから「警報局制御」が選択操作されると（図２ステップＳ５）、図６に示すような制御モードを選択するためのダイアログを開いた操作卓画面（画面（３））が表示される（図２ステップＳ６）。
【００２７】
このダイアログ上で、「制御モード」、「個別制御」、制御の対象となる警報局（＊＊ダム）、制御項目（マイク放送）等が順次選択され（画面（４）〜画面（８））、図１２に示す操作卓画面（画面（９））のダイアログ上で「ＯＫ」釦が選択操作されて、制御モード、制御対象、制御項目が確定されると（図２ステップＳ７〜図３ステップＳ１７）、図１３に示すようなマイク放送の起動釦１０５を含むダイアログをもつ操作卓画面（画面（１０））が表示される（図３ステップＳ１８）。
【００２８】
このダイアログ上でマイク放送の起動釦１０５が選択操作されると（図３ステップＳ１９）、マイク放送起動コマンドが入出力インタフェース（Ｉ／Ｏ−ＩＦ）１６を介して制御監視装置２０に送出され、制御監視装置２０の制御の下に無線局の送受信部３０を介して制御対象にある各警報局にマイク放送起動指令が送信され、当該各警報局の放送用アンプが起動制御されるとともに、図１５に示すような、マイク放送可能状態を表示するダイアログをもつ操作卓画面（画面（１２））が表示され、マイク放送が可能となる（図３ステップＳ２０）。
【００２９】
また、上記図４乃至図１１に示す操作卓画面（画面（１）〜（８））上のいずれかに於いて、ポインティングデバイス１４により、緊急対応釦１０４が選択操作されると（図２ステップＳ２１）、図１４に示すような、制御モード、制御対象、制御項目を同時に設定可能な緊急対応操作卓画面（画面（１１））が表示される（図２ステップＳ２２）。
【００３０】
この緊急対応操作卓画面（画面（１１））のダイアログ上で、制御モード、制御対象、制御項目が設定され、マイク放送の起動釦１０５が選択操作されると（図３ステップＳ２３）、マイク放送起動コマンドが入出力インタフェース（Ｉ／Ｏ−ＩＦ）１６を介して制御監視装置２０に送出され、制御監視装置２０の制御の下に無線局の送受信部３０を介して制御対象にある各警報局にマイク放送起動指令が送信され、当該各警報局の放送用アンプが起動制御されるとともに、図１５に示すような、マイク放送可能状態を表示するダイアログをもつ操作卓画面（画面（１２））が表示され、マイク放送が可能となる（図３ステップＳ２０）。
【００３１】
このように、緊急放送時に於いては、緊急対応釦１０４を押下操作することにより、逐次操作確認を省略してマイク放送が可能となる。
【００３２】
尚、上記した実施形態に於いては、ダムの放流警報システムに適用される放流警報操作卓を例に説明したが、これに限らず、観測局各々のテレメータを監視するテレメータのディスプレイ卓としても適用可能である。この際は、ディスプレイ卓１０の入出力インタフェース（Ｉ／Ｏ−ＩＦ）１６と監視対象にある各観測局との間で、観測要求、中継局制御要求、呼び出し時間間隔設定等の各種要求コマンド、観測データ、中継局、監視局等の状態情報、制御結果情報等が受け渡される。
【００３３】
【発明の効果】
以上詳記したように本発明によれば、システムの各局の状態監視を少ない画面構成で容易かつ的確に把握できるとともに、ウィンドウ表示による操作手段を適用することで操作器により行っていた操作を円滑かつ迅速に行うことができ、かつ緊急放送時に於いて緊急対応釦を押下操作することにより逐次操作確認を省略して迅速にマイク放送が行える放流警報操作卓が提供できる。
【図面の簡単な説明】
【図１】本発明の実施形態に於ける操作卓の要部の構成を示すブロック図。
【図２】上記実施形態に於ける警報制御並びにシステム状態監視のための表示制御処理手順を示すフローチャート。
【図３】上記実施形態に於ける警報制御並びにシステム状態監視のための表示制御処理手順を示すフローチャート。
【図４】上記実施形態に於ける警報制御の操作用画面を含む監視用画面の表示状態遷移例を示す図。
【図５】上記実施形態に於ける警報制御の操作用画面を含む監視用画面の表示状態遷移例を示す図。
【図６】上記実施形態に於ける警報制御の操作用画面を含む監視用画面の表示状態遷移例を示す図。
【図７】上記実施形態に於ける警報制御の操作用画面を含む監視用画面の表示状態遷移例を示す図。
【図８】上記実施形態に於ける警報制御の操作用画面を含む監視用画面の表示状態遷移例を示す図。
【図９】上記実施形態に於ける警報制御の操作用画面を含む監視用画面の表示状態遷移例を示す図。
【図１０】上記実施形態に於ける警報制御の操作用画面を含む監視用画面の表示状態遷移例を示す図。
【図１１】上記実施形態に於ける警報制御の操作用画面を含む監視用画面の表示状態遷移例を示す図。
【図１２】上記実施形態に於ける警報制御の操作用画面を含む監視用画面の表示状態遷移例を示す図。
【図１３】上記実施形態に於ける警報制御の操作用画面を含む監視用画面の表示状態遷移例を示す図。
【図１４】上記実施形態に於ける警報制御の操作用画面を含む監視用画面の表示状態遷移例を示す図。
【図１５】上記実施形態に於ける警報制御の操作用画面を含む監視用画面の表示状態遷移例を示す図。
【符号の説明】
１０…ディスプレイ卓
１１…制御部（ＦＡ−ＰＣ）
１２…表示部（ＤＩＳＰ）
１３…キーボード（ＫＢ）
１４…ポインティングデバイス
１５…ＬＡＮインタフェース（ＬＡＮ−ＩＦ）
１６…入出力インタフェース（Ｉ／Ｏ−ＩＦ）
２０…制御監視装置
３０…送受信部（無線局）
１００…操作卓画面
１０１…メニューバー
１０１ａ…操作開始メニュー釦
１０２…局設備配置画面
１０３…状態画面
１０４…緊急対応釦
【図１】
0004138194.tif 000002
【図２】
0004138194.tif 000003
【図３】
0004138194.tif 000004
【図４】
0004138194.tif 000005
【図５】
0004138194.tif 000006
【図６】
0004138194.tif 000007
【図７】
0004138194.tif 000008
【図８】
0004138194.tif 000009
【図９】
0004138194.tif 000010
【図１０】
0004138194.tif 000011
【図１１】
0004138194.tif 000012
【図１２】
0004138194.tif 000013
【図１３】
0004138194.tif 000014
【図１４】
0004138194.tif 000015
【図１５】
0004138194.tif 000016